(57)【要約】【課題】外出時でも在宅時でも取り扱いが変わることなく来訪者と応対できるようにする。【解決手段】無線ＬＡＮ機能及びインターネット機能を有する通信制御装置に、玄関ドアホン子機から呼び出しがあったとき、登録した携帯電話端末が無線ＬＡＮで認識できる場合には、上記無線ＬＡＮ経由で上記携帯電話端末へ上記呼び出しを転送し、そうでない場合には、インターネット経由で上記携帯電話端末へ上記呼び出しを行う。【選択図】図１
2018174407.tif 000002
【特許請求の範囲】
【請求項１】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有し、
上記ドアホンインターフェースから呼び出しがあったとき、
上記携帯電話端末を上記無線ＬＡＮで認識している場合には、上記無線ＬＡＮ経由で上記携帯電話端末へ上記呼び出しを転送し、
上記携帯電話端末を上記無線ＬＡＮで認識していない場合には、上記固定回線を通じて上記携帯電話端末を発呼して上記呼び出しを転送する
通信制御装置。
【請求項２】
上記通信制御装置は、固定電話として通話できる固定受話器部を有し、
上記携帯電話端末を発呼することができない場合、上記固定受話器部に上記呼び出しを転送する、請求項１に記載の通信制御装置。
【請求項３】
上記通信制御装置は、上記携帯電話端末からの連絡信号を定期的に受信し、
上記端末管理データベースは、上記連絡信号の受信経路に従った接続状態を示す値を有し、
上記の携帯電話端末を上記無線ＬＡＮで認識しているか否かの判断を、上記接続状態を示す値に従って行う、請求項１又は２に記載の通信制御装置。
【請求項４】
無線ＬＡＮ機能及びインターネット機能を有する通信制御装置に、玄関ドアホン子機から呼び出しがあったとき、
登録した携帯電話端末が無線ＬＡＮで認識できる場合には、上記無線ＬＡＮ経由で上記携帯電話端末へ上記呼び出しを転送し、そうでない場合には、インターネット経由で上記携帯電話端末へ上記呼び出しを行う、通信制御方法。
【請求項５】
上記通信制御装置は、上記携帯電話端末からの連絡信号を定期的に受信し、
上記端末管理データベースは、上記連絡信号の受信経路に従った接続状態を示す値を有し、
上記の携帯電話端末を上記無線ＬＡＮで認識しているか否かの判断を、上記接続状態を示す値に従って行う、請求項４に記載の通信制御方法。
【請求項６】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有する通信制御装置に、
上記ドアホンインターフェースから呼び出しがあったとき、
上記携帯電話端末を上記無線ＬＡＮで認識している場合には、上記無線ＬＡＮ経由で上記携帯電話端末へ上記呼び出しを転送するステップ、
上記携帯電話端末を上記無線ＬＡＮで認識していない場合には、上記固定回線を通じて上記携帯電話端末を発呼して上記呼び出しを転送するステップ、
を実行させるためのプログラム。
【請求項７】
固定電話として通話できる固定受話器部を有する上記通信制御装置に、
上記携帯電話端末を発呼することができない場合、上記固定受話器部に上記呼び出しを転送するステップ、
を実行させるための、請求項６に記載のプログラム。
【請求項８】
上記携帯電話端末からの連絡信号を定期的に受信する上記通信制御装置に、
上記連絡信号の受信経路に従った接続状態を示す値を、上記端末管理データベースで更新登録するステップを実行させ、
かつ、
上記の携帯電話端末を上記無線ＬＡＮで認識しているか否かの判断を、上記接続状態を示す値に従って行った上で、上記の転送するステップを実行させるための請求項６又は７に記載のプログラム。
【発明の詳細な説明】
【技術分野】
【０００１】
この発明は、来客時に応対するためのドアホンとの通信制御に関する。
【背景技術】
【０００２】
ほとんどの家庭において玄関口と屋内を繋いで通話するドアホンが設置されている。来客の際には、玄関口に設置されたドアホン子機のスピーカー及びマイクと、屋内に設置されたドアホン親機のスピーカー及びマイクとを繋いで会話し、来客者の素性や用事を尋ねることができる。当初はドアホンと固定電話とが別個に設けられていたが、現在はドアホンの機能を固定電話に搭載させて、室内における応答用端末を電話及びドアホン兼用とすることが増えてきている。また、固定電話用内線子機でドアホンの応答が出来るものもある。さらに、ドアホン子機がカメラを搭載し、ドアホン親機などに映像を送信するものも提案されている。
【０００３】
一方で、居住者が屋内に不在である際には、来客が来てもそれに気づくことが出来ず、また、応答もできなかった。これに対して特許文献１では、ドアホン親機が来客者の写真を撮影し、携帯電話回線を通じて居住者が所有する携帯電話機へメールにて送信した後、メールに設定したＵＲＬへのアクセスを確認したら、その携帯電話機を発呼してドアホン子機との間で通話できるシステムが提案されている。
【先行技術文献】
【特許文献】
【０００４】
【特許文献１】特開2002-300295号公報
【発明の概要】
【発明が解決しようとする課題】
【０００５】
しかしながら、特許文献１のように来客時に恒常的に携帯電話回線経由での発呼を行っていると、ユーザには通信料がかかり、インフラとしては帯域を圧迫することになるため好ましくない。少なくとも居住者が屋内にいる場合には、携帯電話回線を使わずにドアホン親機や固定電話用内線子機で来客者と応答する方が通信インフラ上は望ましい。
【０００６】
だが、一般ユーザの生活はスマートフォン型携帯電話を常に携帯して操作することが前提になっている。来客時にも、固定電話用内線子機まで立ち上がって手を伸ばすよりも、手元のスマートフォンで応対できる方が便利である環境となっている。これは屋内に居住者が不在になりやすい一人暮らしの若者世代ほど、スマートフォンの普及率が高いこともあって顕著に表れる傾向である。
【０００７】
そこでこの発明は、現在のライフスタイルに合わせて来客時における携帯電話機を使ったドアホンへの応答を可能にしながら、通信インフラの使用量の削減を狙うことを目的とする。
【課題を解決するための手段】
【０００８】
この発明は、ドアホンによる呼び出しを受け付ける装置が、
登録した携帯電話端末を無線ＬＡＮで認識できる場合には、上記無線ＬＡＮ経由で上記携帯電話端末へ上記呼び出しを転送し、そうでない場合には、インターネット経由で上記携帯電話端末へ上記呼び出しを行うように処理することで、上記の課題を解決した。
【０００９】
すなわち、スマートフォンのように無線ＬＡＮ機能を有する携帯電話端末の普及率が極めて高くなっており、在宅中は固定回線に通じる宅内無線ＬＡＮを通じて携帯電話端末を使用する環境を効果的に利用する。在宅中は、無線ＬＡＮを通じて固定回線を利用することが一般化しているため、在宅中は居住者が使用する携帯電話端末は、無線ＬＡＮ親機によるＤＨＣＰサーバ機能によってＩＰアドレスの払い出しなどを受け、宅内無線ＬＡＮで認識されている。従って、宅内無線ＬＡＮに居住者が常用する携帯電話端末が認識されている場合は、無線ＬＡＮ経由でドアホンからの呼び出しを中継すればよいことになる。一方で、宅内無線ＬＡＮで認識されていない場合は、固定回線を経由してインターネット経由でドアホンからの呼び出しを携帯電話端末に中継すればよい。
【００１０】
上記の処理を実現する実装としては、
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末から通知された移動体通信網に接続している際のＩＰアドレス、を記録する端末管理データベースと、
を有し、
上記ドアホンインターフェースから呼び出しがあったとき、
上記携帯電話端末を上記無線ＬＡＮで認識している場合には、上記無線ＬＡＮ経由で上記携帯電話端末へ上記呼び出しを転送し、
上記携帯電話端末を上記無線ＬＡＮで認識していない場合には、上記固定回線を通じて上記携帯電話端末を発呼して上記呼び出しを転送する
通信制御装置とする。
【００１１】
また、上記通信制御装置が、固定電話として通話できる固定受話器部を有し、
上記携帯電話端末を発呼することができない場合、上記固定受話器部に上記呼び出しを転送すると、携帯電話端末の電池切れや電源オフ時にも適切に対応できるようになる。
【００１２】
さらに、上記携帯電話端末の呼び出しは、電話回線としての発呼に限定されない。データ通信としてＳＩＰサーバを介して呼び出すと、高額になりやすい携帯電話通話料の負担がなく、データ通信料だけで利用できる。これにより帯域への負荷も低減させることができる。
【発明の効果】
【００１３】
この発明の構成とすることで、居住者が自宅にいるときと外出しているときとのどちらであっても、居住者は手元のスマートフォンでドアホンの応対ができる。なおかつ、余分な携帯電話通話料が発生せず、利用する際のコストを低廉に提供することが出来る。
【図面の簡単な説明】
【００１４】
【図１】この発明の一実施形態にかかる通信制御装置と周辺装置の機能ブロック図
【図２】同実施形態例の通信制御装置と携帯電話端末との関係を示す概念図
【図３】携帯電話端末の状態により変わる処理フローの例図
【発明を実施するための形態】
【００１５】
以下、この発明について具体的な実施形態とともに詳細に説明する。この発明は、ドアホン子機と接続して、玄関に設置したドアホン子機１による呼び出しを携帯電話端末２１に中継できる通信制御装置１１である。この発明にかかる通信制御装置１１とその周辺装置の機能ブロック図を図１に示す。また、この発明を利用する際の概念図を図２に示す。
【００１６】
この発明で利用することができる玄関用のドアホン子機１は一般的なドアホン子機が利用できる。具体的には、次のような構成を有するものであればよい。まず、所謂呼び出しボタンに対応する操作入力受付部２を有する。また、通信制御装置１１と主に有線接続される子機通信部３を有する。操作入力受付部２からの入力がされると、子機通信部３から通信制御装置１１のドアホンインターフェース１３へ呼び出しを送信する。ここで呼び出しとは、呼び出しのための信号であり、来客音を再生させる命令へのトリガーであり、かつ一時的なドアホン子機１との通話のためのトリガーでもあってよい。また、マイク及びスピーカーを有する音声入出力部４を有する。後述する応答があった後、音声入出力部４により、携帯電話端末２１又は通信制御装置１１の固定受話器部１８との間で音声による会話を行う。
【００１７】
なお、他の実施形態としては図示しないが、ドアホン子機１は来客者の映像を撮影するカメラ部を有していてもよい。上記カメラ部は、子機通信部３を通じて映像を携帯電話端末２１に送信する。
【００１８】
この発明に係る通信制御装置１１は、主として屋内に設置する。後述するように光ファイバーなどの固定回線と直接に又は間接的に繋がる。このため、インターネットゲートウェイ装置を兼ねていてもよい。また、無線ＬＡＮの親機としての機能も有する。
【００１９】
通信制御装置１１は、玄関に設置されたドアホン子機１と接続して音声を相互通信するドアホンインターフェース１３を有する。ドアホン子機１の子機通信部３との間は、通常のドアホンに用いられる一般的な通信ケーブルを用いてよい。ドアホンインターフェース１３は、上記のドアホン子機１からの呼び出しを受けて端末制御部１５に送るとともに、ドアホン子機１との間で音声信号の入出力を行う。また、ドアホン子機１が上記カメラ部を有している場合には映像も中継する。
【００２０】
通信制御装置１１は、無線ＬＡＮの親機として動作する無線ＬＡＮ通信部１６を有する。具体的にはIEEE802.11シリーズに対応する無線ＬＡＮとして通信するためのアンテナをはじめとするハードウェアと、携帯電話端末２１にＩＰアドレスを払い出すＤＨＣＰサーバ機能をはじめとするソフトウェアとからなる。すなわち、一般的な無線ルータとしての機能を有する。なお、この無線ＬＡＮ通信部１６のうち、アンテナなどのハードウェア部分及びその通信は、接続された別の筐体に格納される無線ブリッジが担っていてもよい。
【００２１】
通信制御装置１１は、光ファイバー、ケーブルテレビ、電話回線その他の固定回線と接続される固定回線インターフェース１９を有する。これらの固定回線を通じてインターネットと接続されていることが好ましい。固定回線インターフェース１９が固定電話であり、公衆電話回線を通じての通話の発呼による本発明の実施も可能である。しかし、後述するようにインターネットを介してデータ通信によりＳＩＰプロトコルによる発呼ができる方が、回線を占拠することがないため好ましい。
【００２２】
通信制御装置１１は、固定回線インターフェース１９を通じて発呼可能な固定発呼部１７を有する。この固定発呼部１７は、固定回線インターフェース１９を介して繋がる先（上位網）が、固定電話である場合には、通常の固定電話としての発呼を行う。一方、固定回線インターフェース１９を介して繋がる先の上記上位網が事業者ネットワーク又はインターネットである場合には、ＳＩＰクライアントとしてＳＩＰサーバ３１を経由して同じくＳＩＰクライアントである携帯電話端末２１に対する発呼を行う。いずれの方式であっても、ドアホン子機１の音声入出力部４との間で通話を行えるようにすればよい。また、両方の回線に通じるインターフェースを有していても良い。
【００２３】
通信制御装置１１は、上記の無線ＬＡＮ通信部１６を介して接続される携帯電話端末２１の識別情報、上記携帯電話端末に払い出す自己指定ＩＰアドレス、及び、上記携帯電話端末に移動体通信網からアクセスするための識別符号、を記録する端末管理データベース１４を有する。
【００２４】
上記の識別情報は、携帯電話端末２１のＭＡＣアドレスや携帯電話番号など、端末を一意に識別できる情報である。すなわち、その識別情報を有する携帯電話端末２１が無線ＬＡＮ通信部１６との間で通信できるか否かによって、後述する処理を変更する。端末制御部１５はｗｅｂサーバ機能を有して、無線ＬＡＮ接続された携帯電話端末２１のブラウザや専用アプリケーションを介してその識別情報を登録するための入力を受け付けるとよい。基本的にはこの識別情報は、一旦登録した後は、携帯電話端末２１を買い替えたりしない限り不変でよい。
【００２５】
また、この端末管理データベース１４は、それぞれの携帯電話端末２１からの信号を受けて、携帯電話端末２１との接続状態を示すフラグを記録しておくと好ましい。フラグの例としては、無線ＬＡＮ通信部１６を介して接続されている「無線ＬＡＮ接続状態」か、移動体通信網を介して接続されている「携帯回線接続状態」か、それらのいずれでもない「非確認状態」か、といったフラグ分けが挙げられる。このフラグ分けの値を管理する方式としては、携帯電話端末２１からの定期的な連絡信号を受信した受信経路に従って端末制御部１５が「無線ＬＡＮ接続状態」か「携帯回線接続状態」かを書き換え、また、定期的な連絡信号が途絶した場合には「非確認状態」にするという方式が挙げられる。この端末管理データベース１４の値を確認することで、瞬時に適切な呼び出し先を呼び出すことができるようになる。
【００２６】
上記の自己指定ＩＰアドレスは、通信制御装置１１の無線ＬＡＮ通信部１６が携帯電話端末２１に対してＤＨＣＰサーバ機能により払い出したＩＰアドレスである。このＩＰアドレスは携帯電話端末２１が無線ＬＡＮの圏内に入ってきてＩＰアドレスを払い出すたびに変更され得るため、端末制御部１５は適宜、このレコードを修正する。
【００２７】
上記の識別符号は、上記上位網及び移動体通信網を介して携帯電話端末２１に発呼する際に指定するものである。具体的には、上記上位網が固定電話回線であり、移動体通信網の携帯電話としての通話機能によって携帯電話端末２１を呼び出す場合には、この識別符号は携帯電話端末２１の移動体通信網における携帯電話番号を用いる。一方、上記上位網が事業者ネットワークやインターネットである場合には、ＳＩＰサーバ３１に登録されるＩＤを用いる。なお、これらの両方を登録してもよい。
【００２８】
通信制御装置１１は、固定電話機の機能を兼ねていてもよい。その場合、固定回線インターフェース１９との間で固定電話として働く受話器や子機となる固定受話器部１８を有していると好ましい。また、ドアホン子機１が上記カメラ部を有する場合には、通信制御装置１１又は固定受話器部１８が撮影された映像を映し出すモニタを有していると好ましい。
【００２９】
この発明で利用する携帯電話端末２１は、移動体通信網４１を通じて通話、データ通信、又はその両方ができる携帯回線インターフェース２３を有する。具体的には、ＳＩＭカードスロットを備え、装着されたＳＩＭカードに由来する固有の携帯電話番号を有する。また、携帯電話端末２１として搭載するスピーカーに対して音声を出力し、マイクから音声を入力される音声入出力部２４を有する。さらに、テンキーやキーボード、タッチパネルなどからなり、操作入力を受け付ける操作入力受付部２２を有する。
【００３０】
携帯電話端末２１は、無線ＬＡＮの子機として通信制御装置１１の無線ＬＡＮ通信部１６との間で無線通信できる無線ＬＡＮ通信部２６を有する。通信制御装置１１の無線ＬＡＮの圏内に入ると、規定のパスワードを入力して通信した上で認証され、無線ＬＡＮ通信部１６からＩＰアドレスを払い出されて、データ通信を可能にする。すなわち、携帯電話端末２１の所有者である居住者が在宅している際には、携帯電話端末２１の無線ＬＡＮ通信部２６が、通信制御装置１１の無線ＬＡＮ通信部１６と通信できている状態となる。
【００３１】
携帯電話端末２１は、上記事業者ネットワーク４２又はインターネットに設けられたＳＩＰサーバ３１に対して、ＳＩＰクライアントとして動作する携帯発呼部２７を有する。具体的には、ＳＩＰクライアントとしての上記識別符号と、上記移動体通信網経由でデータ通信する場合に適用されるＩＰアドレスとをＳＩＰサーバ３１に通知する。また、ＳＩＰサーバ３１を介して通信制御装置１１からの発呼を受け取ったら、ＳＩＰクライアント同士での通話を実現する。
【００３２】
携帯電話端末２１は、液晶ディスプレイや有機ＥＬなどからなる表示部２８を有する。一般的なスマートフォンで用いられるモニタでよい。通信制御装置１１からの呼び出しを受けたら、その旨を表示部２８に表示し、応答するか否かの判断を所有者にさせる。また、ドアホン子機１が上記カメラ部を有し、映像を送信されている場合は表示部２８に表示させた上で応答してもよい。
【００３３】
また、携帯電話端末２１は、通信制御装置１１に対して、接続状態を判別するための連絡信号を送信する定期連絡手段を定期的に実行することが好ましい。通信制御装置１１はこの連絡信号を受信して、上記の端末管理データベース１４の接続状態の値を書き換える。
【００３４】
さらに、携帯電話端末２１は、後述する手順を実行するためのアプリケーションをインストールされ、端末制御部２５によって実行される。
【００３５】
この発明に係る通信制御装置１１の実行手順例を説明する。まず、居住者は携帯電話端末２１を通信制御装置１１の無線ＬＡＮ圏内に持ち込み、上記識別情報を通信制御装置１１に登録する。次に、携帯電話端末２１には事前にＳＩＰクライアントとして動作するためのアプリケーションを導入する。その上で、電話番号及びＳＩＰクライアントとしてのＩＤである上記識別符号を登録する。携帯電話端末２１は、通信制御装置１１の無線ＬＡＮ圏内では、適宜データ通信が可能である状態となる。また、携帯電話端末２１は、少なくとも無線ＬＡＮ圏外にあるときには、移動体通信網４１のデータ通信を使い、ＳＩＰサーバ３１に移動体通信網４１におけるＩＰアドレスを上記識別情報のＩＤとともに送信しておく。さらに、携帯電話端末２１は定期的に接続状態を通知する連絡信号を通信制御装置１１に送信し、通信制御装置１１はこの連絡信号に従って端末管理データベース１４の接続状態の値を更新している。
【００３６】
次に、ドアホン子機１に来客からの呼び出しがあった際の手順について、図３に示すフローとともに説明する。まず（Ｓ１０１）、ドアホン子機の操作入力受付部２から呼び出しが入力され、子機通信部３からドアホンインターフェース１３を通じて端末制御部１５に入力される。ここで、端末制御部１５は、携帯電話端末２１についての端末管理データベース１４の接続状態の値を確認する接続状態確認手段を実行する（Ｓ１０２）。ここで接続状態の値が「無線ＬＡＮ接続状態」であれば（Ｓ１０２→無線ＬＡＮ接続状態）、通信制御装置１１は、無線ＬＡＮを通じて携帯電話端末２１に払い出した自己指定ＩＰアドレス宛に呼び出しを転送する（Ｓ１０３）。
【００３７】
上記の無線ＬＡＮ経由で呼び出しを受けた携帯電話端末２１では、表示部２８に呼び出しがあった旨を表示するとともに、呼び出しに応じるか否かのボタン又はダイアログを表示する。居住者が呼び出しに応じる旨の入力を操作入力受付部２２から入力したら、呼び出しに応じる旨の返答を通信制御装置１１に返す。通信制御装置１１は、呼び出しに応答する旨の通知を受けたら（Ｓ１０４→Ｙｅｓ）、ドアホンインターフェース１３からの音声入力を無線ＬＡＮ通信部１６経由で携帯電話端末２１に伝達し、携帯電話端末２１からの音声入力をドアホンインターフェース１３へと伝達する（Ｓ１０５）。最終的に、携帯電話端末２１からの通話終了の入力を受けたら、中継を切断する（Ｓ１０６）。一方、一定時間にわたって呼び出しに応答する旨の通知を受けなかった場合（Ｓ１０４→Ｎｏ）、そのまま切断する（Ｓ１０６）。
【００３８】
一方、接続状態の値が「携帯回線接続状態」である場合（Ｓ１０２→携帯回線接続状態）、基本的には居住者は外出しているものと考えられる。そこで、固定発呼部１７は、ＳＩＰサーバ３１に対して、端末管理データベース１４に登録された上記識別符号であるＳＩＰクライアントとしての携帯電話端末２１のＩＤ宛に発呼する（Ｓ１１１）。
【００３９】
移動体通信網４１経由で呼び出しを受けた携帯電話端末２１では、基本的には無線ＬＡＮ経由での呼び出しを受けた場合と同様に処理を行う。すなわち、呼び出しに応じるか否かのボタン又はダイアログを表示する。居住者が呼び出しに応じる旨の入力を操作入力受付部２２から入力したら、呼び出しに応じる旨の返答を通信制御装置１１に返し、通信制御装置１１との間で通話を中継する。これに対する通信制御装置１１の動作Ｓ１１２〜Ｓ１１４は、基本的にはＳ１０４〜Ｓ１０６と同一である。
【００４０】
さらに、接続状態の値が「非確認状態」であるか（Ｓ１０２→非確認状態）、またはＳＩＰサーバ経由で携帯電話端末２１の応答が無かった場合（Ｓ１１２→Ｎｏ）、携帯電話端末２１の電源が入っていないか、電波の届かないところにある可能性がある。また、携帯電話端末２１の所有者である居住者が気づかない場所に置いてある可能性もある。いずれにしても、携帯電話端末２１経由で呼び出しを取ることができないため、通信制御装置１１は固定受話器部１８に、呼び出しを中継する（Ｓ１２１）。呼び出しがあったことを告げるように設定されている音声を鳴らし、固定受話器部１８の受話器が取られたら、その場で呼び出しに応答できるようにする。在宅しており、携帯電話端末２１の電源が切れていたり気づいていなかったりした場合には、居住者は速やかに呼び出しに気づくことができる。
【００４１】
また別の実施形態としては、Ｓ１１１においてＳＩＰサーバ３１へ発呼するのではなく、移動体通信網を介して、携帯電話端末２１のＳＩＭカードに対応した携帯電話番号への発呼を行い、電話として上記の呼び出しを中継してもよい。通話料はかかるが、居住者の実用上は同様の効果が得られる。
【符号の説明】
【００４２】
１  ドアホン子機
２  操作入力受付部
３  子機通信部
４  音声入出力部
５  子機制御部
１１  通信制御装置
１３  ドアホンインターフェース
１４  端末管理データベース
１５  端末制御部
１６  無線ＬＡＮ通信部
１７  固定発呼部
１８  固定受話器部
１９  固定回線インターフェース
２１  携帯電話端末
２２  操作入力受付部
２３  携帯回線インターフェース
２４  音声入出力部
２５  端末制御部
２６  無線ＬＡＮ通信部
２７  携帯発呼部
２８  表示部
３１  ＳＩＰサーバ
４１  移動体通信網
４２  事業者ネットワーク
【図１】
2018174407.tif 000003
【図２】
2018174407.tif 000004
【図３】
2018174407.tif 000005
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有し、
上記ドアホンインターフェースから呼び出しがあったとき、
上記携帯電話端末を上記無線ＬＡＮで認識している場合には、上記無線ＬＡＮ経由で上記携帯電話端末へ上記呼び出しを転送し、
上記携帯電話端末を上記無線ＬＡＮで認識していない場合には、上記固定回線を通じて上記携帯電話端末を発呼して上記呼び出しを転送する
通信制御装置。
【請求項２】
上記通信制御装置は、固定電話として通話できる固定受話器部を有し、
上記携帯電話端末を発呼することができない場合、上記固定受話器部に上記呼び出しを転送する、請求項１に記載の通信制御装置。
【請求項３】
上記通信制御装置は、上記携帯電話端末からの連絡信号を定期的に受信し、
上記端末管理データベースは、上記連絡信号の受信経路に従った接続状態を示す値を有し、
上記の携帯電話端末を上記無線ＬＡＮで認識しているか否かの判断を、上記接続状態を示す値に従って行う、請求項１又は２に記載の通信制御装置。
【請求項４】
無線ＬＡＮ機能及びインターネット機能を有する通信制御装置に、玄関ドアホン子機から呼び出しがあったとき、
登録した携帯電話端末が無線ＬＡＮで認識できる場合には、上記無線ＬＡＮ経由で上記携帯電話端末へ上記呼び出しを転送し、そうでない場合には、インターネット経由で上記携帯電話端末へ上記呼び出しを行う、通信制御方法。
【請求項５】
上記通信制御装置は、上記携帯電話端末からの連絡信号を定期的に受信し、
上記通信制御装置が有する端末管理データベースは、上記連絡信号の受信経路に従った接続状態を示す値を有し、
上記の携帯電話端末を上記無線ＬＡＮで認識しているか否かの判断を、上記接続状態を示す値に従って行う、請求項４に記載の通信制御方法。
【請求項６】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有する通信制御装置に、
上記ドアホンインターフェースから呼び出しがあったとき、
上記携帯電話端末を上記無線ＬＡＮで認識している場合には、上記無線ＬＡＮ経由で上記携帯電話端末へ上記呼び出しを転送するステップ、
上記携帯電話端末を上記無線ＬＡＮで認識していない場合には、上記固定回線を通じて上記携帯電話端末を発呼して上記呼び出しを転送するステップ、
を実行させるためのプログラム。
【請求項７】
固定電話として通話できる固定受話器部を有する上記通信制御装置に、
上記携帯電話端末を発呼することができない場合、上記固定受話器部に上記呼び出しを転送するステップ、
を実行させるための、請求項６に記載のプログラム。
【請求項８】
上記携帯電話端末からの連絡信号を定期的に受信する上記通信制御装置に、
上記連絡信号の受信経路に従った接続状態を示す値を、上記端末管理データベースで更新登録するステップを実行させ、
かつ、
上記の携帯電話端末を上記無線ＬＡＮで認識しているか否かの判断を、上記接続状態を示す値に従って行った上で、上記の転送するステップを実行させるための請求項６又は７に記載のプログラム。
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有し、
上記通信制御装置は、上記携帯電話端末からの連絡信号を定期的に受信し、
上記端末管理データベースは、上記連絡信号の受信経路に従った接続状態を示す値を有し、
上記ドアホンインターフェースから呼び出しがあったとき、
上記携帯電話端末を上記無線ＬＡＮで認識しているか否かの判断を、上記接続状態を示す値に従って行い、
上記携帯電話端末を上記無線ＬＡＮで認識している場合には、上記無線ＬＡＮ経由で上記携帯電話端末へ上記呼び出しを転送し、
上記携帯電話端末を上記無線ＬＡＮで認識していない場合には、上記固定回線を通じて上記携帯電話端末を発呼して上記呼び出しを転送する
通信制御装置。
【請求項２】
上記通信制御装置は、固定電話として通話できる固定受話器部を有し、
上記携帯電話端末を発呼することができない場合、上記固定受話器部に上記呼び出しを転送する、請求項１に記載の通信制御装置。
【請求項３】
無線ＬＡＮ機能及びインターネット機能を有する通信制御装置は、携帯電話端末からの連絡信号を定期的に受信し、
上記通信制御装置が有する端末管理データベースは、上記連絡信号の受信経路に従った接続状態を示す値を有し、
上記通信制御装置に、玄関ドアホン子機から呼び出しがあったとき、
上記の携帯電話端末を無線ＬＡＮで認識しているか否かの判断を、上記接続状態を示す値に従って行い、
登録した携帯電話端末が無線ＬＡＮで認識できる場合には、上記無線ＬＡＮ経由で上記携帯電話端末へ上記呼び出しを転送し、そうでない場合には、インターネット経由で上記携帯電話端末へ上記呼び出しを行う、通信制御方法。
【請求項４】
固定電話として通話できる固定受話器部を有する上記通信制御装置に、
上記携帯電話端末を発呼することができない場合、上記固定受話器部に上記呼び出しを転送する、請求項３に記載の通信制御方法。
【請求項５】
玄関用ドアホン子機と接続して音声を相互通信するドアホンインターフェースと、
無線ＬＡＮの親機として動作する無線ＬＡＮ通信部と、
固定回線を通じて発呼可能な固定発呼部と、
上記無線ＬＡＮを介して接続される携帯電話端末の識別情報、上記携帯電話端末に払い出す自己指定ＩＰアドレス、及び、上記携帯電話端末に移動体通信網からアクセスするための識別符号を記録する端末管理データベースと、
を有し、
上記携帯電話端末からの連絡信号を定期的に受信する通信制御装置に、
上記連絡信号の受信経路に従った接続状態を示す値を、上記端末管理データベースで更新登録するステップを実行させ、
上記ドアホンインターフェースから呼び出しがあったとき、
上記携帯電話端末を上記無線ＬＡＮで認識しているか否かの判断を、上記接続状態を示す値に従って行った上で、
上記携帯電話端末を上記無線ＬＡＮで認識している場合には、上記無線ＬＡＮ経由で上記携帯電話端末へ上記呼び出しを転送するステップ、
上記携帯電話端末を上記無線ＬＡＮで認識していない場合には、上記固定回線を通じて上記携帯電話端末を発呼して上記呼び出しを転送するステップ、
を実行させるためのプログラム。
【請求項６】
固定電話として通話できる固定受話器部を有する上記通信制御装置に、
上記携帯電話端末を発呼することができない場合、上記固定受話器部に上記呼び出しを転送するステップ、
を実行させるための、請求項５に記載のプログラム。